(57)【要約】【課題】  調整ポジションに対する補正を正確かつ速やかに行い、周囲温度に基づく調整ポジションのずれを確実に回避するとともに、極めて容易かつ低コストの実施を可能にする。【解決手段】  レンズ鏡筒２の外周２ｆ上に配し、かつ周方向Ｆｆへ回動可能に設けた調整操作リング３と、レンズ鏡筒２の内部に配したレンズ部Ｌｐ…と、調整操作リング３の回動変位をレンズ鏡筒２の内部に伝達する伝達部材４と、この伝達部材４の回動変位を運動変換してレンズ部Ｌｐ…に伝達し、レンズ部Ｌｐ…を光軸方向Ｆｓへ変位させる運動変換機構５とを具備してなるレンズ装置において、所定の熱膨張率を有する素材により形成した補正部材６をレンズ鏡筒２の外周２ｆにおける周方向Ｆｆに沿って配し、この補正部材６の一端部６ｓを伝達部材４の外端部４ｓに連結し、かつ当該補正部材６の他端部６ｔを調整操作リング３に固定する。【選択図】  図１
2015161865.tif 000002
【特許請求の範囲】
【請求項１】
レンズ鏡筒の外周上に配し、かつ周方向へ回動可能に設けた調整操作リングと、前記レンズ鏡筒の内部に配したレンズ部と、前記調整操作リングの回動変位を前記レンズ鏡筒の内部に伝達する伝達部材と、この伝達部材の回動変位を運動変換して前記レンズ部に伝達し、前記レンズ部を光軸方向へ変位させる運動変換機構とを具備してなるプロジェクタのレンズ装置において、所定の熱膨張率を有する素材により形成した補正部材を前記レンズ鏡筒の外周における周方向に沿って配し、この補正部材の一端部を前記伝達部材の外端部に連結し、かつ当該補正部材の他端部を前記調整操作リングに固定してなることを特徴とするプロジェクタのレンズ装置。
【請求項２】
前記調整操作リングには、前記レンズ部に対してズーミング調整を行うズームリングを適用することを特徴とする請求項１記載のプロジェクタのレンズ装置。
【請求項３】
前記補正部材は、素材，長手方向寸法，断面形状，の少なくとも一つ以上を、調整後における周囲温度による調整ポジションの変動を相殺するディメンションに選定してなることを特徴とする請求項２記載のプロジェクタのレンズ装置。
【請求項４】
前記補正部材の一端部に形成した切欠凹部に、前記伝達部材の外端部を収容し、この切欠凹部の開口を閉塞板で閉塞することにより、前記伝達部材の外端部を保持する連結構造を備えることを特徴とする請求項１，２又は３記載のプロジェクタのレンズ装置。
【請求項５】
前記調整操作リングには、前記補正部材を収容する収容空間を形成し、この収容空間に前記補正部材を配してなることを特徴とする請求項１〜４のいずれかに記載のプロジェクタのレンズ装置。
【請求項６】
前記運動変換機構は、前記レンズ鏡筒の内周に配し、かつ螺旋方向に沿った運動変換用のカム溝を周面部に形成してなるカム筒と、前記レンズ鏡筒に形成した光軸方向のガイド溝と、前記カム溝と前記ガイド溝の双方に係合する従動部材を備え、この従動部材により前記レンズ部を支持し、かつ前記カム筒に前記伝達部材の内端部を結合してなることを特徴とする請求項１〜５のいずれかに記載のプロジェクタのレンズ装置。
【請求項７】
前記レンズ鏡筒には、前記調整操作リングの位置を固定又は固定解除可能な調整位置固定機構を備えることを特徴とする請求項１〜６のいずれかに記載のプロジェクタのレンズ装置。
【発明の詳細な説明】
【技術分野】
【０００１】
本発明は、プロジェクションマッピング等に用いるプロジェクタに搭載して好適なプロジェクタのレンズ装置に関する。
【背景技術】
【０００２】
一般に、図７に示すように、建築物の壁面Ｗｄに、レンズ装置（１ｒ）…を搭載した複数台のプロジェクタ（Ｐｒ）…からそれぞれ映像Ｄａ，Ｄｂ…を投影し、各映像Ｄａ，Ｄｂ…を継ぎ合わせることにより一つの映像Ｄを表現するプロジェクションマッピングは知られている。このようなプロジェクションマッピングでは、投影対象物となる壁面Ｗｄにおける正確な位置に投影を行うことは勿論のこと、各映像Ｄａ，Ｄｂ…の継ぎ合わせ部分に、継ぎ目が現れないようにすることが重要になるため、プロジェクタ（Ｐｒ）…の設置時には、正確なズーミング調整やフォーカシング調整を行っている。
【０００３】
しかし、正確な調整を行い、かつその調整位置を固定したとしても、この種のプロジェクタ（Ｐｒ）…は環境変動に比較的影響を受けやすい場所に設置される場合も少なくないため、周囲温度（外気温度）の変動により調整ポジションがずれてしまう問題がある。この結果、図８（ａ）に示すように、四つの映像Ｄａ，Ｄｂ，Ｄｃ，Ｄｄが本来の正確な位置に調整された状態にあったとしても、周囲温度が大きく変動し、ズーミングポジションが正規のポジションからずれた場合、図８（ｂ）又は（ｃ）のような継ぎ目が発生してしまう。このようなズーミングポジションのずれは、一台のプロジェクタにより通常投影する場合にはほとんど問題にならないが、正確性が要求されるプロジェクションマッピングの場合には無視できない問題となる。
【０００４】
従来、このような問題に対処したプロジェクタやレンズも知られており、特許文献１には、温度変化に対するフォーカス位置の変動をより確実に抑えるプロジェクタが開示されるとともに、特許文献２には、温度変化に起因するピントズレを自動的に補正する電動ズームレンズが開示されている。
【０００５】
同文献１に開示されるプロジェクタは、光源と、光学像を投写するレンズ鏡筒とを備え、レンズ鏡筒は、温度変化に対応してレンズの焦点距離を補正する温度補正機構を備えるとともに、レンズ鏡筒は、筐体内に配置され、レンズ鏡筒のうち、レンズとこれを保持する鏡筒部分との温度差を小さくできるようにしたものである。また、同文献２で開示される電動ズームレンズは、レンズ保持枠にサーミスタを取り付け、サーミスタからの出力コードは、フランジに形成された孔を介してビスに嵌め込まれた樹脂製チューブの中を通され、直進力ム溝を介して固定筒の外部に出て、プロジェクタ本体内に設けられた制御部に接続されるとともに、制御部は、サーミスタから温度情報が入力されると、ＬＵＴから読み出したフォーカス筒の位置情報とメモリから読み出した現在のフォーカス筒の位置情報との差を求め、現在の位置情報をから得られる位置情報に一致させるようにドライバを介してモータを駆動するものであり、これにより、フォーカス駆動リングが回転し、フォーカス用レンズが光軸方向に移動し、温度変化に起因するピントズレが補正される。
【先行技術文献】
【特許文献】
【０００６】
【特許文献１】特開２００４−２６４５７０号公報
【特許文献２】特開２０１２−０１３９８２号公報
【発明の概要】
【発明が解決しようとする課題】
【０００７】
しかし、上述したプロジェクタに搭載した従来のレンズ（レンズ装置）は、次のような問題点があった。
【０００８】
第一に、特許文献１における機械系による温度補正方式は、カム筒を含む複数の筒自体をそれぞれ線膨張係数の異なる素材により形成し、レンズ自体を光軸方向に変位させる機構を有している。したがって、給電が不要になるなどのメリットはある反面、各筒は、いわば多層に重なるため、周囲温度の各筒に対する作用には時間差を生じ、各筒の伸縮に相対的な誤差を生じやすい。また、筒全体の素材変更により対応するため、膨張係数を大きくした素材では、放射方向に伸縮することにより、レンズ自体の操作性にも影響する虞れがあるなど、素材選定が容易でない。結局、正確な補正を行う観点からは十分に機能するとは言えないとともに、十分な補正量の確保も容易でないことから、筺体に収容するなどの追加的手段が必須となる。
【０００９】
第二に、特許文献２における電気系による自動制御方式は、実際の位置を検出し、それに基づいてフィードバック制御を行うため、正確性を確保しやすい反面、給電のための制御回路を搭載する必要があるとともに、制御回路を駆動する電源の確保も必要となる。結局、イニシャルコスト及びランニングコストの双方を含むコストアップを招くとともに、省エネルギ性を確保する観点からも望ましい方式とは言えない。
【００１０】
本発明は、このような背景技術に存在する課題を解決したプロジェクタのレンズ装置の提供を目的とするものである。
【課題を解決するための手段】
【００１１】
本発明に係るプロジェクタＰのレンズ装置１は、上述した課題を解決するため、レンズ鏡筒２の外周２ｆ上に配し、かつ周方向Ｆｆへ回動可能に設けた調整操作リング３と、レンズ鏡筒２の内部に配したレンズ部Ｌｐ…と、調整操作リング３の回動変位をレンズ鏡筒２の内部に伝達する伝達部材４と、この伝達部材４の回動変位を運動変換してレンズ部Ｌｐ…に伝達し、レンズ部Ｌｐ…を光軸方向Ｆｓへ変位させる運動変換機構５とを具備してなるレンズ装置において、所定の熱膨張率を有する素材により形成した補正部材６をレンズ鏡筒２の外周２ｆにおける周方向Ｆｆに沿って配し、この補正部材６の一端部６ｓを伝達部材４の外端部４ｓに連結し、かつ当該補正部材６の他端部６ｔを調整操作リング３に固定してなることを特徴とする。
【００１２】
この場合、発明の好適な態様により、調整操作リング３には、レンズ部Ｌｐ…に対してズーミング調整を行うズームリング３ｚを適用することが望ましい。一方、補正部材６は、素材，長手方向寸法，断面形状，の少なくとも一つ以上を、調整後における周囲温度Ｔｏによる調整ポジションの変動を相殺するディメンションに選定できる。また、補正部材６の一端部６ｓに形成した切欠凹部６ｊに、伝達部材４の外端部４ｓを収容し、この切欠凹部６ｊの開口を閉塞板１１で閉塞することにより、伝達部材４の外端部４ｓを保持する連結構造Ｍｊを設けることができる。なお、調整操作リング３には、補正部材６を収容する収容空間３ｓを形成し、この収容空間３ｓに補正部材６を配することが望ましい。他方、運動変換機構５は、レンズ鏡筒２の内周２ｉに配し、かつ螺旋方向に沿った運動変換用のカム溝７ｓ…を周面部７ｍに形成してなるカム筒７と、レンズ鏡筒２に形成した光軸方向Ｆｓのガイド溝２ｓ…と、カム溝７ｓ…とガイド溝２ｓ…の双方に係合する従動部材８…を備え、この従動部材８…によりレンズ部Ｌｐ…を支持し、かつカム筒７に伝達部材４の内端部４ｉを結合して構成できる。さらに、レンズ鏡筒２には、調整操作リング３の位置を固定又は固定解除可能な調整位置固定機構１２を設けることが望ましい。
【発明の効果】
【００１３】
このような構成を有する本発明に係るプロジェクタのレンズ装置１によれば、次のような顕著な効果を奏する。
【００１４】
（１）  所定の熱膨張率を有する素材により形成した補正部材６をレンズ鏡筒２の外周２ｆにおける周方向Ｆｆに沿って配し、この補正部材６の一端部６ｓを伝達部材４の外端部４ｓに連結し、かつ当該補正部材６の他端部６ｔを調整操作リング３に固定してなるため、補正部材６は、周囲温度Ｔｏに直接反応して伸縮し、この伸縮はレンズ鏡筒２やカム筒７等のレンズ装置１の主要光学構造に影響しない。したがって、時間的な遅れを伴うことなく調整ポジションに対する補正を正確かつ速やかに行うことができ、もって、周囲温度Ｔｏに基づく調整ポジションのずれを確実に回避できる。
【００１５】
（２）  基本的な追加部品として補正部材６を追加すれば足り、これにより、実質的な温度補正機構を構築できる。したがって、極めて容易かつ低コストに実施できるとともに、基本的には、電気系による自動制御方式を採用しないため、給電が不要となり、プロジェクションマッピング等の投影に用いて最適となる。
【００１６】
（３）  好適な態様により、調整操作リング３に、レンズ部Ｌｐ…に対してズーミング調整を行うズームリング３ｚを適用すれば、特に、プロジェクションマッピングの投影において発生する映像間の継ぎ目を排除できるため、プロジェクションマッピングの投影における最も重要な課題を有効に解消できる。
【００１７】
（４）  好適な態様により、補正部材６を形成するに際し、素材，長手方向寸法，断面形状，の少なくとも一つ以上を、調整後における周囲温度Ｔｏによる調整ポジションの変動を相殺するディメンションに選定すれば、周囲温度Ｔｏに基づく調整ポジションの変動を相殺できる。換言すれば、補正部材６のディメンションを選定するのみで、周囲温度Ｔｏによる調整ポジションの変動を容易に補正可能となる。
【００１８】
（５）  好適な態様により、補正部材６の一端部６ｓに形成した切欠凹部６ｊに、伝達部材４の外端部４ｓを収容し、この切欠凹部６ｊの開口を閉塞板１１で閉塞することにより、伝達部材４の外端部４ｓを保持する連結構造Ｍｊを設ければ、補正部材６の一端部６ｓと伝達部材４の外端部４ｓ間において、ある程度の相対変位を吸収できるため、無用な応力発生を回避し、変位伝達時における動作の円滑性及び安定性に寄与できる。
【００１９】
（６）  好適な態様により、調整操作リング３に、補正部材６を収容する収容空間３ｓを形成し、この収容空間３ｓに補正部材６を配するようにすれば、調整操作リング３に対して形状的な一体感を醸し出すことができるため、不自然な突出形状や無用なサイズアップを回避できる。
【００２０】
（７）  好適な態様により、運動変換機構５を構成するに際し、レンズ鏡筒２の内周２ｉに配し、かつ螺旋方向に沿った運動変換用のカム溝７ｓ…を周面部７ｍに形成してなるカム筒７と、レンズ鏡筒２に形成した光軸方向Ｆｓのガイド溝２ｓ…と、カム溝７ｓ…とガイド溝２ｓ…の双方に係合する従動部材８…を備え、この従動部材８…によりレンズ部Ｌｐ…を支持し、かつカム筒７に伝達部材４の内端部４ｉを結合して構成すれば、一般的なカメラ構造を変更することなくそのまま利用できるなど、汎用性に優れる。
【００２１】
（８）  好適な態様により、レンズ鏡筒２に、調整操作リング３の位置を固定又は固定解除可能な調整位置固定機構１２を設ければ、この調整位置固定機構１２の固定機能と補正部材６の補正機能の相乗作用により、調整ポジションのずれをより確実かつ効果的に防止できる。
【図面の簡単な説明】
【００２２】
【図１】本発明の好適実施形態に係るプロジェクタのレンズ装置の部分抽出拡大図を含む断面正面図、
【図２】同レンズ装置の要部における部分抽出拡大図を含む断面側面図、
【図３】同レンズ装置の要部における外観平面図、
【図４】同レンズ装置の要部における補正部材の連結構造を明示する一部を断面にした平面図、
【図５】同レンズ装置の作用説明図、
【図６】同レンズ装置の原理説明図、
【図７】背景技術の説明図、
【図８】背景技術の課題説明図、
【発明を実施するための形態】
【００２３】
次に、本発明に係る好適実施形態を挙げ、図面に基づき詳細に説明する。
【００２４】
まず、本発明の理解を容易にするため、本実施形態に係るレンズ装置１の全体的な基本構成について、図１〜図５を参照して説明する。
【００２５】
レンズ装置１は、固定筒として機能するレンズ鏡筒２を備え、このレンズ鏡筒２の内部には、図２に仮想線で示す複数のレンズ部（レンズ群）Ｌｐ…を収容する。例示のレンズ部Ｌｐ…は一部を省略したズーミング調整用のレンズ部であり、このズーミング調整用のレンズ部Ｌｐ…の前方（図２中、左方向）には不図示のフォーカシング調整用のレンズ部を配する。
【００２６】
レンズ鏡筒２の内周２ｉには周方向Ｆｆに回動可能な可動筒として機能するカム筒７を配する。この場合、図２に示すように、カム筒７の外周面には複数の従動部材２１…を突出させ、レンズ鏡筒２に形成した周方向Ｆｆに沿った複数のガイド溝２２…に係合させる。これにより、カム筒７の回動方向及び回動範囲が規制される。また、カム筒７の周面部７ｍには螺旋方向に沿った複数の運動変換用のカム溝７ｓ…を形成するとともに、レンズ鏡筒２には光軸方向Ｆｓに沿った複数のガイド溝２ｓ…を形成する。例示の場合、周方向Ｆｆに等間隔で配した三つのガイド溝２ｓ…を有する。
【００２７】
そして、各カム溝７ｓ…と対応するガイド溝２ｓ…の双方間に係合する複数の従動部材８…を配し、この従動部材８…により対応する各レンズ部Ｌｐ…を支持する。これにより、カム筒７を周方向Ｆｆに回動変位させれば、従動部材８…、更にはレンズ部Ｌｐ…が光軸方向Ｆｓに変位する運動変換機構５が構成される。このような構成を有する運動変換機構５は、いわば一般的なカメラ構造である。したがって、本実施形態に係るレンズ装置１は、このような一般的なカメラ構造を変更することなくそのまま利用できるため、汎用性にも優れる利点がある。
【００２８】
一方、レンズ鏡筒２の外周２ｆ上には周方向Ｆｆに回動可能となるズームリング３ｚを配設する。このズームリング３ｚは、前述したレンズ部Ｌｐ…に対してズーミング調整を行うものであり、調整操作リング３の一つとして位置付けられる。この場合、図３に示すように、レンズ鏡筒２の外周面には複数の従動部材２４…を突出させ、この従動部材２４…をズームリング３ｚに形成した周方向Ｆｆに沿った複数のガイド溝２５…に係合させる。これにより、ズームリング３ｚの回動方向及び回動範囲が規制される。なお、例示のズームリング３ｚは、回動操作を電動で行う電動式であり、図５に示すように、ズームリング３ｚに一体に備える被動ギア部２７に、駆動モータ２８に取付けた駆動ギア２９を噛合させたズームリング駆動機構３０を備える。なお、被動ギア部２７は、ズームリング３ｚの周方向全周に沿って形成した歯部を有する。
【００２９】
また、ズームリング３ｚには調整位置固定機構１２を付設する。この調整位置固定機構１２は、図２及び図３に示すように、ズームリング３ｚの後端側（プロジェクタ本体側）に一体に設け、かつ周方向Ｆｆに沿った固定用スリット３３ｓを有する位置固定部３３と、頭部に操作ツマミ３４ｅを一体に有する固定ネジ３４とを備え、この固定ネジ３４のネジ部３４ｎを、固定用スリット３３ｓを通してレンズ鏡筒２の外周２ｆに設けたネジ孔部に螺合して構成する。これにより、固定ネジ３４を、締付ける方向に回し操作すれば、位置固定部３３をレンズ鏡筒２に対して固定できる。即ち、ズームリング３ｚの調整ポジションが固定される。他方、固定ネジ３４を、緩める方向に回し操作すれば、位置固定部３３とレンズ鏡筒２間の固定が解除され、ズームリング３ｚの回動操作が許容される。これによりズーミング調整を行うことができる。
【００３０】
なお、ズームリング３ｚの前方であって、このズームリング３ｚに対して所定距離だけ離間したレンズ鏡筒２の外周２ｆ上には周方向Ｆｆに回動可能なフォーカスリング１０３ｆを備える。このフォーカスリング１０３ｆは、上述した運動変換機構５と同様の機能を有する運動変換機構を介して、図示を省略したフォーカシング調整用のレンズ部に対してフォーカシング調整を行うことができる。したがって、このフォーカスリング１０３ｆも調整操作リング３の一つとして位置付けられるとともに、上述した調整位置固定機構１２と同様の構成及び機能を有する調整位置固定機構を備えている。
【００３１】
次に、本実施形態に係るレンズ装置１の要部構成について、図１〜図６を参照して具体的に説明する。
【００３２】
本実施形態に係るレンズ装置１は、主要部品として補正部材６を用いる。この補正部材６は、所定の熱膨張率を有する素材により全体を一体成形する。補正部材６は、後述するように、ズームリング３ｚの一部として位置付けられるため、ズームリング３ｚの回動変位をレンズ部Ｌｐ…側に伝達する機能も含む。したがって、剛性の高い合成樹脂素材が望ましく、実施形態では一例として、ＰＯＭ（ポリオキシメチレン樹脂）素材を用いている。なお、素材としては、所定の熱膨張率を有すれば足り、特定の素材に限定するものではない。
【００３３】
また、補正部材６の形状は全体を弓形に形成する。具体的には、長手方向の形状を、図１に示すように、レンズ鏡筒２の外周２ｆにおける周方向Ｆｆに沿った円弧形状に形成する。例示の場合、角度範囲が１１０〔゜〕程度となる半円形状である。さらに、断面形状を、図２に示すように、横長の長方形状に形成し、上面の長手方向には、断面が湾曲形状となる規制用凹部６ｕを形成する。
【００３４】
この補正部材６は、周囲温度Ｔｏに基づいて伸縮し、ズームリング３ｚの位置を補正する機能を有している。このため、補正部材６を形成するに際しては、素材，長手方向寸法，断面形状，の少なくとも一つ以上を、調整後における周囲温度Ｔｏによる調整ポジションの変動を相殺するディメンションに選定する。具体的には、予め、素材及び断面形状を選定し、長手方向寸法を実験等により求めて選定できる。このように、補正部材６のディメンションを選定するのみで、周囲温度Ｔｏによる調整ポジションの変動を容易に補正可能となる。
【００３５】
一方、図３に示すように、ズームリング３ｚには、この補正部材６を収容するための収容空間３ｓを形成する。この場合、収容空間３ｓは、補正部材６を配した際に、当該補正部材６がズームリング３ｚから突出したり凹みを生じさせることなく、ズームリング３ｚの全体形状に調和するように考慮する。したがって、このような収容空間３ｓを形成すれば、ズームリング３ｚに対して形状的な一体感を醸し出すことができるため、不自然な突出形状や無用なサイズアップを回避できる利点がある。
【００３６】
例示のズームリング３ｚは、図２に示すように、レンズ鏡筒２の外周面上に配したベースリング４１と、このベースリング４１の外周面に固定したカバーリング４２と、このカバーリング４２の前端に固定した被動ギア部２７とを一体に備えるため、収容空間３ｓは、ベースリング４１の外周面とカバーリング４２間に形成するとともに、カバーリング４２の一部を切欠いて形成した。具体的には、ベースリング４１の外周面に形成した段差部とカバーリング４２により周方向Ｆｆに沿った凹溝部４３を形成し、この凹溝部４３に補正部材６を装填した。これにより、補正部材６は凹溝部４３内を周方向Ｆｆに沿ってスライド自在にガイドされる。また、装填した補正部材６の外周面であって、光軸方向Ｆｓにおける前側一部を、一部を切欠いたカバーリング４２により覆うとともに、複数（例示は四つ）の板バネ状の規制プレート４４…の一端をカバーリング４２の外周面に固定ネジ等を用いて固定し、他端側を光軸方向後方に突出させることにより、カバーリング４２から後方に露出した補正部材６の外周面（上面）と後端面一部を押さえる（規制する）ようにした。このため、規制プレート４４…の形状は、図２に示すように、補正部材６の上面に形成した規制用凹部６ｕに沿った形状に形成するとともに、図１及び図３に示すように、補正部材６の長手方向に沿って所定間隔置きに取付けた。
【００３７】
他方、ズームリング３ｚ上に配した補正部材６の一端部６ｓには、伝達部材４の外端部４ｓを連結するとともに、補正部材６の他端部６ｔはズームリング３ｚに対して固定する。具体的には、図１に示すように、補正部材６の他端部６ｔに形成した段部に固定部材４５の一側をネジ等により固定するとともに、この固定部材４５の他側をネジ等によりベースリング４１上に固定する。これにより、補正部材６の他端部６ｔはズームリング３ｚに固定される。一方、補正部材６の一端部６ｓは連結構造Ｍｊを介して伝達部材４の外端部４ｓに連結する。
【００３８】
この連結構造Ｍｊは、次のように構成する。まず、補正部材６の一端部６ｓには、図４に示すように、径方向に沿って矩形状に切欠いた切欠凹部６ｊを形成する。この際、切欠凹部６ｊにおける対向する二つの側壁面６ｊｐ．６ｊｑ間は、伝達部材４における外端部４ｓの外径幅にほぼ一致させる。また、側壁面６ｊｐと６ｊｑ間に位置する底壁面６ｊｄは、円弧状に盛上形成する。これにより、切欠凹部６ｊ内に伝達部材４の外端部４ｓを収容すれば、当該外端部４ｓは底壁面６ｊｄに対して線接触する。そして、切欠凹部６ｊ内に伝達部材４の外端部４ｓを収容するとともに、板バネ状の閉塞板１１を補正部材６の一端部６ｓの端面に固定ネジ４７…により固定する。これにより、切欠凹部６ｊの開口は閉塞板１１により閉塞され、切欠凹部６ｊ内に伝達部材４の外端部４ｓが保持される。なお、閉塞板１１は伝達部材４の外端部４ｓに圧接するように考慮する。
【００３９】
したがって、補正部材６の一端部６ｓと伝達部材４の外端部４ｓを、このような連結構造Ｍｊにより連結すれば、補正部材６の一端部６ｓと伝達部材４の外端部４ｓ間において、ある程度の相対変位を吸収できるため、無用な応力発生を回避し、変位伝達時における動作の円滑性及び安定性に寄与できる利点がある。他方、伝達部材４の内端部４ｉ側は、図１及び図２に示すように、ベースリング４１に形成した挿通孔４９及びレンズ鏡筒２に形成した周方向Ｆｆのガイドスリット５０を通して、カム筒７の外周面に固定する。この場合、挿通孔４９は、伝達部材４の周方向における相対変位を許容できるように、伝達部材４の外径よりも大きな径に形成し、図５に示すように、伝達部材４がＺｃ範囲において変位が許容され、伝達部材４がベースリング４１に接触しないように考慮する。
【００４０】
次に、本実施形態に係るレンズ装置１における要部構成の機能について、図５及び図６を参照して説明する。
【００４１】
本実施形態に係るレンズ装置１は、図７に示すようなプロジェクションマッピングに用いるプロジェクタＰに搭載して最適である。今、四台のプロジェクタＰ…を所定の投影位置に設置した場合を想定する。
【００４２】
これにより、プロジェクタＰの角度や向きを調整するとともに、同時に、ズーミング調整及びフォーカシング調整を行う。ズーミング調整では、プロジェクタＰに備える図示を省略したズーミング用調整キーを操作することにより、ズームイン（拡大）又はズームアウト（縮小）に係わるズーミング調整を行うことができる。ズームイン調整時には、例えば、ズームイン調整キーを押し続けることにより、駆動モータ２８が正方向に回転制御される。駆動モータ２８の回転は駆動ギア２９を介して被動ギア部２７に伝達され、ズームリング３ｚは正方向に回動変位するとともに、この回動変位は、補正部材６を介して伝達部材４に伝達される。また、伝達部材４の回動変位（旋回変位）は、カム筒７に伝達され、カム筒７を周方向Ｆｆに回動変位させる。そして、カム筒７の回動変位は、運動変換機構５により直進方向に変換され、各レンズ部Ｌｐ…をズームイン方向に変位させる。他方、ズームアウト調整時には、例えば、ズームアウト調整キーを押し続けることにより、駆動モータ２８が反対方向に回転制御される。これにより、駆動モータ２８の回転は、駆動ギア２９，被動ギア部２７，ズームリング３ｚ，補正部材６，伝達部材４の経路で伝達され、伝達部材４の回動変位（旋回変位）は、カム筒７を周方向Ｆｆにおける上記ズームイン調整時に対して反対方向へ回動変位させる。そして、カム筒７の回動変位は、運動変換機構５により直進方向に変換され、各レンズ部Ｌｐ…をズームアウト方向に変位させる。
【００４３】
この場合、図７に示すように、建築物の壁面Ｗｄに各プロジェクタＰ…から映像Ｄａ，Ｄｂ…を投影し、各プロジェクタＰ…単位でそれぞれ正確なズーミング調整を行うことにより、図８（ａ）に示すように、各映像Ｄａ，Ｄｂ…間に継ぎ目が生じないように調整する。そして、ズーミング調整が終了したなら、調整位置固定機構１２の操作ツマミ３４ｅを締付ける方向に回し操作し、ズームリング３ｚを調整ポジションに固定する。このような調整位置固定機構１２を設けることにより、この調整位置固定機構１２の固定機能と補正部材６の補正機能の相乗作用により、調整ポジションのずれをより確実かつ効果的に防止できる利点がある。以上により、ズーミング調整が完了する。さらに、詳細は省略したがフォーカシング調整も同様に行うことができる。
【００４４】
他方、このような調整を行った後、プロジェクタＰ…の使用時に、周囲温度Ｔｏが調整時に対して高くなった場合を想定する。周囲温度Ｔｏが高くなった場合、この高くなった周囲温度Ｔｏは、外部に露出した補正部材６に対して直接的に作用する。これにより、補正部材６は周囲温度Ｔｏに感応して速やかに伸長（膨張）する。この場合、図５に示すように、補正部材６の他端部６ｔは、図５中、位置Ｘｃで固定されているため、補正部材６が伸長することにより、補正部材６の一端部６ｓは、周方向Ｆｆにおける反時計方向に回動変位（旋回変位）、即ち、図５中、位置Ｘｈに対して矢印Ｆａ方向へ変位する。この際、ズームリング３ｚの位置は調整位置固定機構１２により固定されているため、補正部材６の一端部６ｓの回動変位は、この一端部６ｓに連結した伝達部材４を回動変位（旋回変位）させる。
【００４５】
この場合、補正部材６の伸長に基づく変位量（伸縮特性Ｑａ）は、図６に示すように、周囲温度Ｔｏの変動によるズーミングの調整ポジションの変動特性Ｑｅを相殺する特性となるように設定されている。したがって、周囲温度Ｔｏによりズーミングの調整ポジションが変動する場合であっても補正部材６の回動変位により相殺し、ズーミングの調整ポジションは補正後のズーミング特性Ｑｚのように正規のポジションに維持される。なお、周囲温度Ｔｏが調整時に対して低くなった場合も、高くなった場合に対して挙動が逆方向、即ち、補正部材６の一端部６ｓが位置Ｘｈに対して矢印Ｆｂ方向へ変位する点を除いて基本的には高くなった場合と同様に機能する。
【００４６】
これにより、図７に示すプロジェクションマッピングを行う際に、周囲温度Ｔｏが大きく変動する使用環境にあっても、図８（ａ）のように、四つの映像Ｄａ，Ｄｂ，Ｄｃ，Ｄｄは本来の正確な位置に調整された状態を維持し、図８（ｂ）及び（ｃ）のように、ズーミングの調整ポジションのずれにより継ぎ目が生じる問題は防止される。
【００４７】
このように、本実施形態に係るプロジェクタのレンズ装置１によれば、所定の熱膨張率を有する素材により形成した補正部材６をレンズ鏡筒２の外周２ｆにおける周方向Ｆｆに沿って配し、この補正部材６の一端部６ｓを伝達部材４の外端部４ｓに連結し、かつ当該補正部材６の他端部６ｔをズームリング３ｚに固定してなるため、補正部材６は、周囲温度Ｔｏに直接反応して伸縮し、この伸縮はレンズ鏡筒２やカム筒７等のレンズ装置１の主要光学構造に影響しない。したがって、時間的な遅れを伴うことなく調整ポジションに対する補正を正確かつ速やかに行うことができ、もって、周囲温度Ｔｏに基づく調整ポジションのずれを確実に回避できる。また、基本的な追加部品として補正部材６を追加すれば足り、これにより、実質的な温度補正機構を構築できる。したがって、極めて容易かつ低コストに実施できるとともに、基本的には、電気系による自動制御方式を採用しないため、給電が不要となり、プロジェクションマッピング等の投影に用いて最適となる。加えて、調整操作リング３として、レンズ部Ｌｐ…に対してズーミング調整を行うズームリング３ｚを適用したため、特に、プロジェクションマッピングの投影において発生する映像間の継ぎ目を排除できるため、プロジェクションマッピングの投影における最も重要な課題を有効に解消できる。
【００４８】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４９】
例えば、補正部材６は、膨張することにより伝達部材４を反時計方向へ回動変位させる位置に設けたが、膨張することにより伝達部材４を時計方向へ回動変位させる位置、即ち、伝達部材４に対して周方向Ｆｆにおける１８０〔゜〕反対側の位置に配してもよい。また、補正部材６を形成する所定の熱膨張率を有する素材としてＰＯＭ素材を例示したが、所定の剛性を有する他の各種合成樹脂素材を利用できるとともに、金属素材等の他の素材の利用を排除するものではない。一方、調整操作リング３として、レンズ部Ｌｐ…に対してズーミング調整を行うズームリング３ｚを適用した場合を示したが、レンズ部に対してフォーカシング調整を行うフォーカスリング１０３ｆを適用してもよいし、ズームリング３ｚとフォーカスリング１０３ｆの双方を適用してもよい。その他、連結構造Ｍｊ及び調整位置固定機構１２は、例示の構造に限定するものではなく、同様の機能を有する各種構造を利用できる。また、調整操作リング３に補正部材６を収容する収容空間３ｓを形成し、この収容空間３ｓに補正部材６を配する場合を例示したが、既に存在する空スペース等を利用して配する場合を排除するものではない。さらに、ズームリング３ｚの調整操作として、駆動モータ２８を利用した電動式を例示したが、手動により調整操作する手動方式であってもよい。
【産業上の利用可能性】
【００５０】
本発明に係るレンズ装置は、プロジェクションマッピング等で投影を行うプロジェクタをはじめ、使用環境に光学特性が左右されない、比較的高い精度が要求される各種プロジェクタに利用できる。
【符号の説明】
【００５１】
１：レンズ装置，２：レンズ鏡筒，２ｆ：レンズ鏡筒の外周，２ｉ：レンズ鏡筒の内周，２ｓ…：ガイド溝，３：調整操作リング，３ｚ：ズームリング，３ｓ：収容空間，４：伝達部材，４ｓ：伝達部材の外端部，４ｉ：伝達部材の内端部，５：運動変換機構，６：補正部材，６ｓ：補正部材の一端部，６ｔ：補正部材の他端部，６ｊ：切欠凹部，７：カム筒，７ｓ…：カム溝，７ｍ：周面部，８…：従動部材，１１：閉塞板，１２：調整位置固定機構，Ｐ：プロジェクタ，Ｆｆ：周方向，Ｆｓ：光軸方向，Ｌｐ…，レンズ部，Ｍｊ：連結構造，Ｔｏ：周囲温度
【図１】
2015161865.tif 000003
【図２】
2015161865.tif 000004
【図３】
2015161865.tif 000005
【図４】
2015161865.tif 000006
【図５】
2015161865.tif 000007
【図６】
2015161865.tif 000008
【図７】
2015161865.tif 000009
【図８】
2015161865.tif 000010